(57)【特許請求の範囲】
【請求項１】
クライアント端末と通信可能な広告情報配信装置において、
広告情報と当該広告情報を提供した広告主の施設の位置情報とを関連付けて記憶している広告データベースと、
前記クライアント端末の位置情報と前記施設の位置情報に基づいて、前記クライアント端末から所定範囲内に存在する前記施設の広告情報を前記広告データベースから抽出する広告情報抽出部と、
前記クライアント端末の位置情報および前記クライアント端末の製造元を表した製造元情報を含む配信要求を前記クライアント端末から受信し、前記広告情報抽出部が当該位置情報に応じて抽出した広告情報を配信する通信部と、
広告情報を配信した前記クライアント端末の製造元情報を保持する配信先端末情報管理部とを備えることを特徴とする広告情報配信装置。
【請求項２】
前記配信先端末情報管理部は、保持している前記製造元情報に基づいて、前記クライアント端末の製造元ごとに広告情報の配信数を集計することを特徴とする請求項１記載の広告情報配信装置。
【請求項３】
前記配信先端末情報管理部は、広告情報を配信した前記クライアント端末の位置情報を保持し、保持している前記位置情報に基づいて、前記施設から所定範囲内に存在する前記クライアント端末を抽出し、
前記通信部は、前記配信先端末情報管理部が抽出した前記クライアント端末の情報を前記施設の端末装置へ送信することを特徴とする請求項１記載の広告情報配信装置。
【請求項４】
前記広告データベースは、前記施設のジャンルを記憶しており、
前記広告情報抽出部は、前記通信部が前記クライアント端末から受信した配信要求に前記施設のジャンルを指定した情報が含まれている場合に、前記クライアント端末から所定範囲内に存在し、かつ、ジャンルが一致する前記施設の広告情報を前記広告データベースから抽出することを特徴とする請求項１記載の広告情報配信装置。
【請求項５】
クライアント端末からの配信要求に応じて広告情報を配信して当該クライアント端末の製造元ごとに広告情報の配信数を集計する広告情報配信装置と通信可能なクライアント端末であって、
自己の位置情報を取得する位置情報取得部と、
自己の製造元を表した製造元情報を記憶している端末情報管理部と、
前記位置情報取得部の取得した位置情報と前記端末情報管理部の記憶している製造元情報を前記広告情報配信装置へ送信して、自己から所定範囲内に存在する施設の広告情報の配信を要求し、当該要求に応じて前記広告情報配信装置から配信された広告情報を受信する通信部と、
前記通信部の受信した広告情報を提示する広告情報提示部とを備えることを特徴とするクライアント端末。
【請求項６】
広告情報配信装置からクライアント端末へ広告情報を配信する広告情報配信方法において、
前記クライアント端末の位置情報および前記クライアント端末の製造元を表した製造元情報を含む配信要求を受信する広告情報配信要求受信ステップと、
広告情報と当該広告情報を提供した広告主の施設の位置情報とを関連付けて記憶している広告データベースの中から、前記配信要求を受信した前記クライアント端末から所定範囲内に存在する前記施設の広告情報を抽出する広告情報抽出ステップと、
前記広告情報抽出ステップで抽出した広告情報を前記クライアント端末に配信する広告情報配信ステップと、
前記広告情報配信ステップで広告情報を配信した前記クライアント端末の製造元情報を保持する配信先端末情報管理ステップとを備えることを特徴とする広告情報配信方法。
【請求項７】
クライアント端末側からの配信要求に応じて広告情報を配信して当該クライアント端末の製造元ごとに広告情報の配信数を集計する広告情報配信装置との間で携帯端末を介した通信が可能なクライアント端末の広告情報提示方法であって、
前記携帯端末が前記クライアント端末の位置情報を取得する位置情報取得ステップと、
前記携帯端末が、前記クライアント端末の製造元を表した製造元情報を前記クライアント端末から取得して、前記位置情報取得ステップで取得した位置情報と共に前記広告情報配信装置へ送信して、前記クライアント端末から所定範囲内に存在する施設の広告情報の配信を要求する広告情報配信要求ステップと、
前記携帯端末が、前記要求に応じて前記広告情報配信装置から配信された広告情報を受信する広告情報受信ステップと、
前記携帯端末が前記広告情報受信ステップで受信した広告情報を前記クライアント端末に出力し、前記クライアント端末が提示する広告情報提示ステップとを備えることを特徴とする広告情報提示方法。
【発明の詳細な説明】
【技術分野】
【０００１】
この発明は、ユーザの所持するクライアント端末の周囲に存在する施設の広告情報を配信する広告情報配信装置とその広告情報配信方法、および広告情報の配信を受けるクライアント端末とその広告情報提示方法に関する。
【背景技術】
【０００２】
ユーザが移動中に特定の店舗などの商業施設に接近したとき、そのユーザの所持するクライアント端末にクーポンなどの広告情報を提供する手法が知られている。例えば特許文献１では、出発地から目的地までの経路と、その経路に関連する広告情報とを端末装置に表示させる広告情報提供装置が開示されている。また、特許文献２では、地図情報提供サービスによってインターネット経由でユーザ端末機に表示される地図画面上の広告を、ユーザの属性と合致する広告に絞って表示することで、目的外の広告が表示される問題の解決を図っていた。また、特許文献３では、ユーザ端末からの要求に応じてクーポンなどのインセンティブ情報を送信し、その送信回数をインセンティブ情報の提供主ごとに集計して記憶するサーバ装置が開示されており、サーバ装置を運営する広告会社などはこの送信回数に基づいて提供主に課金を行うことが提案されていた。
【先行技術文献】
【特許文献】
【０００３】
【特許文献１】特開２０１２−１８５１６８号公報
【特許文献２】特開２００１−２１６２３６号公報
【特許文献３】特開２０１２−２４３０６７号公報
【発明の概要】
【発明が解決しようとする課題】
【０００４】
上記特許文献１〜３では、ユーザの所持するクライアント端末側で適切な広告表示を行い、更にその結果ユーザを広告主の店舗に誘導するなど広告情報が十分に活用されたとしても、クライアント端末の製造元にインセンティブが与えられるものではなかった。そのため、クライアント端末の製造元に金銭的メリットが無く、積極的に広告情報の表示を行うに至らず、ひいては広告情報配信の普及につながっていないという課題があった。【０００５】
この発明は、上記のような課題を解決するためになされたもので、クライアント端末の製造元に金銭的メリットを与えて、広告情報を提示可能なクライアント端末を広く普及させることを目的とする。
【課題を解決するための手段】
【０００６】
この発明の広告情報配信装置は、広告情報と当該広告情報を提供した広告主の施設の位置情報とを関連付けて記憶している広告データベースと、クライアント端末の位置情報と施設の位置情報に基づいて、クライアント端末から所定範囲内に存在する施設の位置情報を広告データベースから抽出する広告情報抽出部と、クライアント端末の位置情報およびクライアント端末の製造元を表した製造元情報を含む配信要求をクライアント端末から受信し、広告情報抽出部が当該位置情報に応じて抽出した広告情報を配信する通信部と、広告情報を配信したクライアント端末の製造元情報を保持する配信先端末情報管理部とを備えるものである。【０００７】
この発明のクライアント端末は、自己の現在の位置情報を取得する位置情報取得部と、自己の製造元を表した製造元情報を記憶している端末情報管理部と、位置情報取得部の取得した位置情報と端末情報管理部の記憶している製造元情報を広告情報配信装置へ送信して、自己から所定範囲内に存在する施設の広告情報の配信を要求し、当該要求に応じて広告情報配信装置から配信された広告情報を受信する通信部と、通信部の受信した広告情報を提示する広告情報提示部とを備えるものである。【０００８】
この発明の広告情報配信方法は、クライアント端末の位置情報およびクライアント端末の製造元を表した製造元情報を含む配信要求を受信する広告情報配信要求受信ステップと、広告情報と当該広告情報を提供した広告主の施設の位置情報とを関連付けて記憶している広告データベースの中から、配信要求を受信したクライアント端末から所定範囲内に存在する施設の広告情報を抽出する広告情報抽出ステップと、広告情報抽出ステップで抽出した広告情報をクライアント端末に配信する広告情報配信ステップと、広告情報配信ステップで広告情報を配信したクライアント端末の製造元情報を保持する配信先端末情報管理ステップとを備えるものである。【０００９】
この発明の広告情報提示方法は、携帯端末がクライアント端末の位置情報を取得する位置情報取得ステップと、携帯端末が、クライアント端末の製造元を表した製造元情報をクライアント端末から取得して、位置情報取得ステップで取得した位置情報と共に広告情報配信装置へ送信して、クライアント端末から所定範囲内に存在する施設の広告情報の配信を要求する広告情報配信要求ステップと、携帯端末が、要求に応じて広告情報配信装置から配信された広告情報を受信する広告情報受信ステップと、携帯端末が広告情報受信ステップで受信した広告情報をクライアント端末に出力し、クライアント端末が提示する広告情報提示ステップとを備えるものである。
【発明の効果】
【００１０】
この発明によれば、クライアント端末の製造元情報を含む広告情報配信要求を送信し、広告情報配信装置がその要求に応じて広告情報を配信する一方で製造元情報を保持することにより、クライアント端末の製造元へ配信数に応じた広告費を分配して金銭的メリットを与えることが可能になるので、広告情報を提示可能なクライアント端末を広く普及させることができる。
【図面の簡単な説明】
【００１１】
【図１】この発明の実施の形態１に係る広告情報配信システムの全体構成を示すブロック図である。
【図２】実施の形態１に係るクライアント端末の構成を示すブロック図である。
【図３】実施の形態１に係るクライアント端末の端末情報管理部で管理する端末情報の例を示す図である。
【図４】実施の形態１に係る広告情報配信装置の構成を示すブロック図である。
【図５】実施の形態１に係る広告情報配信システムにおいて送受信される広告情報の例を示す図である。
【図６】実施の形態１に係る広告情報配信装置の配信先端末情報管理部で管理する配信先端末情報の例を示す図である。
【図７】実施の形態１に係る広告情報配信システムの動作を示すフローチャートである。
【図８】この発明の実施の形態２に係る広告情報配信装置の構成を示すブロック図である。
【図９】実施の形態２に係る広告情報配信装置の配信先端末情報管理部で管理する配信先端末情報の例を示す図である。
【図１０】実施の形態２に係る広告情報配信システムの動作を示すフローチャートである。
【発明を実施するための形態】
【００１２】
以下、この発明をより詳細に説明するために、この発明を実施するための形態について、添付の図面に従って説明する。
実施の形態１．
図１に示すように、本実施の形態１の広告情報配信システムは、複数のクライアント端末１と、広告情報配信装置２と、複数の店舗端末３と、ネットワーク４と、携帯端末５から構成されている。
【００１３】
図２（ａ）は、クライアント端末１の構成を示すブロック図である。クライアント端末１は、例えばユーザの所持する携帯電話もしくはスマートフォン、または移動体（例えば、車両）に搭載もしくは持ち込みが可能なナビゲーション装置などであり、無線により広告情報配信装置２と通信が可能である。このクライアント端末１は、広告情報提示部１１、位置情報取得部１２、端末情報管理部１３、および通信部１４を備えている。
図２（ｂ）については後述する。
【００１４】
広告情報提示部１１は、広告情報配信装置２から受信した広告情報をユーザに提示する。提示方法は、クライアント端末１に設けられた画面にテキスト情報または画像情報として表示する方法でもよいし、クライアント端末１に設けられたスピーカから音声出力する方法でもよい。位置情報取得部１２は、クライアント端末１の現在の位置を取得するものであり、例えばＧＰＳ（Ｇｌｏｂａｌ  Ｐｏｓｉｔｉｏｎｉｎｇ  Ｓｙｓｔｅｍ）信号を受信して現在位置（例えば、緯度経度）を特定する。端末情報管理部１３は、少なくともクライアント端末１の製造元を識別可能な製造元情報を含む端末情報を管理する。通信部１４は、無線により広告情報配信装置２と通信する。
【００１５】
ここで、図３に、端末情報管理部１３の管理する端末情報の一例を示す。端末情報は、クライアント端末１を製造した製造元を一意に表す製造元ＩＤと、製造元名と、クライアント端末１を一意に表すクライアント端末ＩＤと、クライアント端末名とを含む。この例の端末情報では製造元ＩＤが製造元情報に相当する。
【００１６】
クライアント端末１が現在位置周辺に存在する店舗の広告情報を要求する際には、位置情報取得部１２の取得した現在の位置情報と、端末情報管理部１３の管理する端末情報（例えば、クライアント端末ＩＤおよび製造元ＩＤ）とを合わせて通信部１４から広告情報配信装置２に送信することにより、広告情報配信要求を行う。広告情報配信装置２から配信された広告情報は、通信部１４で受信して、広告情報提示部１１がユーザに提示する。
【００１７】
図４は、広告情報配信装置２の構成を示すブロック図である。広告情報配信装置２は、広告会社によって運営されるサーバなどであり、ネットワーク４を介して広告主の店舗端末３から広告情報を受け付け、その広告情報をクライアント端末１の配信要求に応じて配信する。この広告情報配信装置２は、広告情報抽出部２１、広告データベース（以下、ＤＢ）２２、通信部２３、および配信先端末情報管理部２４を備えている。
【００１８】
広告情報抽出部２１は、クライアント端末１から受信した広告情報配信要求に応じて、広告ＤＢ２２から広告情報を抽出し、通信部２３を介してクライアント端末１に送信する。広告ＤＢ２２は、店舗端末３から受信した店舗情報とその店舗の広告情報とを記憶している。通信部２３は、無線によりクライアント端末１と通信すると共に、ネットワーク４を介して店舗端末３と通信する。配信先端末情報管理部２４は、クライアント端末１から受信した端末情報と配信した広告情報とを紐付けて記憶している。
【００１９】
ここで、図５に、広告情報配信システムにおいて送受信される広告情報の一例を示す。この広告情報は、店舗端末３で作成されて広告情報配信装置２に送信され、広告情報配信装置２の広告ＤＢ２２に格納され、適宜クライアント端末１へ配信される。この広告情報は、広告内容を記述したテキストと、画像と、ウェブサイトのＵＲＬ（Ｕｎｉｆｏｒｍ  Ｒｅｓｏｕｒｃｅ  Ｌｏｃａｔｏｒ）と、この広告情報が有効な提示期間とを含む。また、店舗情報として、店舗端末３の設置された店舗を一意に表す店舗ＩＤと、店舗名と、店舗の住所と、店舗の位置情報（例えば、緯度経度）と、店舗のジャンルとを含む。
【００２０】
また、図６に、配信先端末情報管理部２４の管理する配信先端末情報の一例を示す。配信先端末情報は、クライアント端末１に配信した広告情報の提供元である店舗端末３の店舗ＩＤと、そのクライアント端末１の製造元ＩＤである配信先製造元ＩＤと、そのクライアント端末１のクライアント端末ＩＤである配信先クライアント端末ＩＤと、配信日時とを含む。
【００２１】
店舗端末３は、広告情報を提供する広告主の店舗および商業施設などに設置された端末装置（例えば、パーソナルコンピュータ）であり、ネットワーク４を介して広告情報配信装置２と通信可能である。この店舗端末３は、図５に示したような店舗情報と広告情報をネットワーク４を介して広告情報配信装置２へ送信する。
【００２２】
次に、図７のフローチャートを用いて、広告情報配信システムの動作を説明する。
ステップＳＴ１にて、広告主が店舗端末３を操作して、クライアント端末１に配信する広告情報（例えば、図５）を作成する。次にステップＳＴ２にて、店舗端末３から広告情報配信装置２に対し広告情報を送信する。ステップＳＴ３にて、広告情報配信装置２の通信部２３がその広告情報を受信して広告ＤＢ２２に登録する。以上のステップＳＴ１〜ＳＴ３は適宜実施可能である。
【００２３】
クライアント端末１が広告情報の配信要求を行う場合、先ずステップＳＴ４にて、位置情報取得部１２が現在の位置情報を取得する。次に通信部１４が、ステップＳＴ５にて端末情報管理部１３から端末情報（例えば、図３）を取得し、ステップＳＴ６にて端末情報と位置情報とを合わせて広告情報配信要求を広告情報配信装置２へ送信する。ここで送信する端末情報は、少なくともクライアント端末１の製造元を示す製造元ＩＤを含んでいるものとする。
ステップＳＴ４が位置情報取得ステップ、ステップＳＴ５，ＳＴ６が広告情報配信要求ステップである。
【００２４】
ステップＳＴ７にて、クライアント端末１の広告情報配信要求を広告情報配信装置２の通信部２３が受信すると、広告情報抽出部２１が広告ＤＢ２２から広告情報を抽出する。このとき広告情報抽出部２１は、例えば図５の内容の広告情報が登録されている広告ＤＢ２２の中から、クライアント端末１の位置情報から一定の距離範囲に該当する店舗位置情報を含む広告情報を抽出する。
ステップＳＴ７が広告情報配信要求受信ステップおよび広告情報抽出ステップである。
【００２５】
また、広告情報抽出部２１は、上記条件以外に、例えば広告情報の提示期間内であることを条件に加えてもよい。また、クライアント端末１の広告情報配信要求にユーザの希望する店舗ジャンルの情報が含まれている場合に、広告情報抽出部２１は、その店舗ジャンルに絞って広告ＤＢ２２から広告情報を抽出することもできる。
このようにして広告情報抽出部２１が広告ＤＢ２２から抽出した広告情報を、次のステップＳＴ８にて、通信部２３からクライアント端末１へ配信する。
【００２６】
その後ステップＳＴ９にて、配信先端末情報管理部２４が、配信先の端末情報（少なくとも製造元ＩＤを含む）と、配信した広告情報を提供した店舗端末３の店舗情報とを含む配信先端末情報（例えば、図６）を保持する。これにより、特定の店舗の広告情報をどの製造元のクライアント端末１にどれだけ配信したかを管理できる。
ステップＳＴ８が広告情報配信ステップ、ステップＳＴ９が配信先端末情報管理ステップである。
【００２７】
例えば配信先端末情報管理部２４は、保持している配信先端末情報を解析して、店舗ＩＤごとに過去１ヶ月に広告情報を配信したクライアント端末１の数を集計する。広告会社は、その集計結果に基づいて広告費を広告主である店舗に請求することができる。また例えば配信先端末情報管理部２４が、保持している配信先端末情報を解析して、配信先製造元ＩＤごとに過去１ヶ月に広告情報を配信したクライアント端末１の数を集計する。広告会社は、その集計結果である配信実績に基づいて広告費の一部を製造元に分配することができる。
【００２８】
広告情報配信装置２の配信した広告情報をクライアント端末１の通信部１４が受信すると、ステップＳＴ１０にて、広告情報提示部１１がその広告情報（テキスト、画像、ＵＲＬなど）をユーザに対し提示する。その後ステップＳＴ１１にて、位置情報取得部１２が位置情報に基づいてクライアント端末１が移動中であるか判定を行う。移動中でなければ（ステップＳＴ１１“ＮＯ”）、クライアント端末１は処理を終了し、移動が継続していると判定した場合は（ステップＳＴ１１“ＹＥＳ”）、ステップＳＴ４に遷移して現在の位置情報取得から処理を繰り返し、新たな現在位置に応じた広告情報の取得を行う。
ステップＳＴ１０が広告情報提示ステップである。
【００２９】
以上より、実施の形態１によれば、広告情報配信装置２は、広告情報と当該広告情報を提供した広告主の店舗位置情報とを関連付けて記憶している広告ＤＢ２２と、クライアント端末１の位置情報と店舗位置情報に基づいて、クライアント端末１から所定範囲内に存在する店舗の広告情報を広告ＤＢ２２から抽出する広告情報抽出部２１と、クライアント端末１の位置情報および製造元情報を含む配信要求をクライアント端末１から受信し、広告情報抽出部２１が当該位置情報に応じて抽出した広告情報を配信する通信部２３と、広告情報を配信したクライアント端末１の製造元情報を保持する配信先端末情報管理部２４とを備える構成にした。このため、配信先端末情報管理部２４が保持している製造元情報に基づいて、クライアント端末１の製造元ごとに広告情報の配信数を集計することが可能となり、製造元へ配信数に応じた広告費を分配して金銭的メリットを与えることができる。従って、広告情報を提示可能なクライアント端末１を広く普及させることができる。
【００３０】
また、実施の形態１によれば、広告情報配信装置２の広告ＤＢ２２に店舗ジャンルを記憶させておき、配信先端末情報管理部２４は、通信部２３がクライアント端末１から受信した配信要求に店舗ジャンルを指定した情報が含まれている場合に、クライアント端末１から所定範囲内に存在し、かつ、ジャンルが一致する店舗の広告情報を広告ＤＢ２２から抽出するように構成した。このため、広告情報の抽出時、ユーザの嗜好等を考慮して特定のジャンルの店舗の広告情報を抽出することができ、効率的な広告配信を行うことができる。
【００３１】
なお、クライアント端末１として、移動体（例えば、車両）に搭載されたディスプレイオーディオなどを使用し、携帯電話またはスマートフォンなどの携帯端末５を介して、広告情報配信装置２との間で情報をやり取りする構成にしてもよい。
図２（ｂ）は、携帯端末５を使用する場合の、この携帯端末５とクライアント端末１の構成を示すブロック図である。クライアント端末１は、広告情報を画面表示または音声出力する広告情報提示部１１と、製造元情報を含む端末情報を管理する端末情報管理部１３と、携帯端末５との間で情報をやり取りする入出力インタフェース部１５とを備える。クライアント端末１と携帯端末５との間の通信方法は、例えば近距離無線通信など任意の通信方法でよい。
【００３２】
携帯端末５は、クライアント端末１との間で情報をやり取りする入出力インタフェース部５１と、クライアント端末１から製造元情報を含む端末情報を取得する端末情報取得部５２と、携帯端末５の位置情報を取得する位置情報取得部１２と、無線により広告情報配信装置２と通信する通信部１４とを備える。携帯端末５をクライアント端末１と同じ車両内に配することにより、位置情報取得部１２が取得した携帯端末５の位置情報を、クライアント端末１の位置情報と同等の情報とみなす。あるいは、クライアント端末１が自己の位置情報を取得する機能を有し、その位置情報を携帯端末５に通知してもよい。
【００３３】
クライアント端末１の現在位置周辺に存在する店舗の広告情報を要求する際には携帯端末５の端末情報取得部５２がクライアント端末１の端末情報を取得し、その端末情報と位置情報取得部１２が取得した現在の位置情報とを合わせて通信部１４から広告情報配信装置２に送信することにより、広告情報配信要求を行う。広告情報配信装置２から配信された広告情報は、通信部１４で受信して入出力インタフェース部５１を介してクライアント端末１に出力する。クライアント端末１は、広告情報を入出力インタフェース部１５で受け付けて、広告情報提示部１１がユーザに提示する。
【００３４】
以降の実施の形態においても、クライアント端末１と広告情報配信装置２とが直接通信する構成にしてもよいし、携帯端末５を介してクライアント端末１と広告情報配信装置２とが通信するにしてもよい。
【００３５】
実施の形態２．
図８は、本実施の形態２に係る広告情報配信装置２の構成を示すブロック図である。なお、図８において図４と同一または相当の部分については同一の符号を付し説明を省略する。また、本実施の形態２の広告情報配信システムおよびクライアント端末１は、図１に示す広告情報配信システムおよび図２に示すクライアント端末１と図面上では同様の構成であるため、以下では図１および図２を援用して説明する。
【００３６】
図９は、本実施の形態２に係る広告情報配信装置２の配信先端末情報管理部２４ａが管理する配信先端末情報の一例を示す図である。配信先端末情報は、クライアント端末１から送信された広告情報配信要求に含まれるクライアント端末ＩＤである配信先クライアント端末ＩＤと、このクライアント端末１の位置情報である配信先クライアント端末位置情報と、このクライアント端末１から広告情報配信要求を受け付けた日時である配信要求日時とを含む。
【００３７】
配信先端末情報管理部２４ａは、配信先クライアント端末ＩＤをキーにして、図９に示す配信先端末情報と図６に示す配信先端末情報とを紐付けて記憶している。
また、配信先端末情報管理部２４ａは、図９に示す配信先端末情報の配信先クライアント端末位置情報に基づいて、ある店舗から一定の距離範囲に存在するクライアント端末１の数を集計し、集計結果をその店舗端末３に通知する。または、配信先端末情報管理部２４ａは、配信先端末情報の配信要求日時に基づいて、現在（または現在から一定時間さかのぼった期間）、ある店舗から一定の距離範囲に存在するクライアント端末１の数を集計してもよい。
【００３８】
次に、図１０のフローチャートを用いて、広告情報配信システムの動作を説明する。なお、図１０のステップＳＴ１〜ＳＴ８，ＳＴ１０，ＳＴ１１は、図７のステップＳＴ１〜ＳＴ８，ＳＴ１０，ＳＴ１１と同様であるため説明を省略し、本実施の形態２に特有のステップＳＴ９，ＳＴ１２，ＳＴ１３について説明する。
【００３９】
ステップＳＴ９にて、広告情報配信装置２の配信先端末情報管理部２４ａが、配信先の端末情報（少なくとも製造元ＩＤ、クライアント端末位置情報、配信要求日時を含む）と、配信した広告情報を提供した店舗端末３の店舗情報とを含む配信先端末情報（例えば、図６）を保持する。
【００４０】
次にステップＳＴ１２にて、配信先端末情報管理部２４ａが、特定の店舗の店舗情報と保持している配信先端末情報とを解析して、その店舗が存在する位置から一定の距離範囲に存在するクライアント端末１の数を集計し、集計結果を通信部２３を介してその店舗の店舗端末３へ送信する。これにより、広告主は、店舗周辺に広告情報を配信可能なクライアント端末１がどれだけ存在するか把握できる。この集計結果を元に、広告主が広告内容の更新要否を判断し、必要であれば広告情報を更新する。
【００４１】
店舗端末３は、広告情報の更新があった場合（ステップＳＴ１３“ＹＥＳ”）、ステップＳＴ２に遷移し、広告情報配信装置２に対し更新された広告情報を送信する。一方、更新がなければ（ステップＳＴ１３“ＮＯ”）、店舗端末３は処理を終了する。
【００４２】
これにより、例えば座席数に余裕があり一時的に客を呼び込みたい店舗、および食材が余ったので値段を下げてでも客を呼び込みたい店舗などが、「本日２０：００〜２１：００、１０組限定でマグロ握り２０％ＯＦＦ」といったタイムセールの広告情報を作成して、広告情報配信装置２を通じて効率的に配信することができる。
【００４３】
以上より、実施の形態２によれば、広告情報配信装置２の配信先端末情報管理部２４ａは、広告情報を配信したクライアント端末１の位置情報を保持し、保持している位置情報に基づいて、店舗から所定範囲内に存在するクライアント端末１を抽出し、通信部２３は、配信先端末情報管理部２４ａが抽出したクライアント端末１の情報をその店舗の店舗端末３へ送信するように構成した。車両向けのナビゲーション装置、ならびに携帯電話およびスマートフォンなどのモバイル端末のように、広告表示の対象となるクライアント端末１が移動する場合、店舗の近くを移動中のクライアント端末１の数を広告主に提供することで、タイムセール情報等のリアルタイムな広告情報を配信するメリットがあるかどうか広告主が判断することができ、効率的な広告配信が可能となる。
【００４４】
これに対して、先立って説明した特許文献１〜３の方法では、特定のエリアに存在するクライアント端末数が不明なため、リアルタイムな広告情報を配信したいといった店舗側の要求に対し、効率的に広告配信できなかった。
【００４５】
なお、上記実施の形態２では、配信先端末情報管理部２４ａが、配信先端末情報に含まれる配信先クライアント端末位置情報に基づいて店舗周辺に存在するクライアント端末１の数を集計するようにしたが、これに限定されるものではない。例えばクライアント端末１または広告情報配信装置２にて、クライアント端末１を所持するユーザが所望する目的地までの経路の探索を行い、配信先端末情報管理部２４ａがその経路に基づいて配信先端末情報に含まれる配信要求日時だけでなくそれ以降の時間におけるクライアント端末１の位置を予測し、ある日時において店舗周辺に存在するクライアント端末１の数を集計して店舗端末３へ通知するようにしてもよい。
【００４６】
上記以外にも、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００４７】
以上のように、この発明に係る広告情報配信装置は、広告情報を配信したクライアント端末の製造元情報を管理するようにしたので、モバイル端末およびナビゲーション装置などに広告情報を配信する広告情報配信装置に用いるのに適している。
【符号の説明】
【００４８】
１  クライアント端末、２  広告情報配信装置、３  店舗端末、４  ネットワーク、５  携帯端末、１１  広告情報提示部、１２  位置情報取得部、１３  端末情報管理部、１４  通信部、１５，５１  入出力インタフェース部、２１  広告情報抽出部、２２  広告ＤＢ、２３  通信部、２４，２４ａ  配信先端末情報管理部、５２  端末情報取得部。
【図１】
0005815158.tif 000002
【図２】
0005815158.tif 000003
【図３】
0005815158.tif 000004
【図４】
0005815158.tif 000005
【図５】
0005815158.tif 000006
【図６】
0005815158.tif 000007
【図７】
0005815158.tif 000008
【図８】
0005815158.tif 000009
【図９】
0005815158.tif 000010
【図１０】
0005815158.tif 000011